(57)【特許請求の範囲】
【請求項１】
バックボードを有するコントロール装置本体と、
前記バックボードに着脱自在に取付けられるＩ／Ｏモジュールと
を具備するコントロール装置において、
前記コントロール装置本体には、
前記バックボードの上部側に設けられ溝方向が水平方向で前記Ｉ／Ｏモジュールが挿入される方向に開口する溝状の鉛直方向規制溝と、
前記鉛直方向規制溝に沿って水平に設けられ所定幅を有し前記Ｉ／Ｏモジュールに嵌め合わされる板状の鉛直直交方向規制突起部と
を有し、
Ｉ／Ｏモジュールには、
前記Ｉ／Ｏモジュールのバックボード着脱面に設けられ前記鉛直方向規制溝に嵌め合わされて前記バックボードに対する鉛直方向取付け位置が規定される凸部と、
この凸部の上側の面に設けられ前記突起部が嵌め合わされ前記突起部の嵌め合い状態が見えるように上部側が開放されている溝部と、
この溝部の両側に設けられ前記突起部に対する水平方向取付け位置を規定するリブと
を有すること
を特徴とするコントロール装置。
【請求項２】
前記凸部として、前記Ｉ／Ｏモジュールのケースと一体構成の材料からなること
を特徴とする請求項１記載のコントロール装置。
【請求項３】
前記一体構成の材料として、プラスチックが使用されたこと
を特徴とする請求項１又は請求項２記載のコントロール装置。
【請求項４】
前記鉛直方向規制溝は、前記バックボードの一端から他端まで設けられたことを特徴とする請求項１乃至請求項３の何れかに記載のコントロール装置。
【発明の詳細な説明】
【０００１】
【発明の属する技術分野】
本発明は、バックボードを有するコントロール装置本体と、バックボード上のコネクタを介して電気的接続が行われる、着脱自在なＩ／Ｏモジュールからなるコントロール装置において、着脱を容易にするための位置合わせの手段に関するものである。
【０００２】
更に詳述すれば、メンテナンス性を損なうことなく、低コストで、廃棄時の分解作業が少なく環境にやさしいコントロール装置に関するものである。
【０００３】
【従来の技術】
図１１は、従来より一般に使用されているコントロール装置の要部構成説明図である。
【０００４】
図において、バックボード１を有するコントロール装置本体（図示せず）に、Ｉ／Ｏモジュール２を取付ける際、コネクタ３，４同士の位置あわせがしやすく、スムーズに嵌め合わせできるようなガイド部をコネクタ３，４の周辺部に構成することが多い。
【０００５】
その手段としては、図１１に示すように、Ｉ／Ｏモジュール２側に位置決めピン５を設け、バックボード１側に、位置決めピン５のガイドとなる穴６を設ける。
この、穴６をガイドとして、バックボード１とＩ／Ｏモジュール２の位置をあわせる構成などが一般的に行われる。
【０００６】
【発明が解決しようとする課題】
しかしながら、このような装置においては、Ｉ／Ｏモジュール２のケース７を樹脂成形で製作する場合、位置決めピン５は、ケース７と一体で成形するのがコスト・組立性の面から望ましい。
【０００７】
しかし、樹脂で形成された位置決めピン５は折れやすく、メンテナンス性を損なう場合が多い。位置決めピン５の部分を、金属など強度の高い別部品で構成するとなると、部品コスト、組立コストなどの増加や、廃棄時の分解・分別作業が増えるなどの影響が考えられる。
【０００８】
また、金属部品を使用する場合、コントロール装置のノイズ対策などに影響を及ぼす場合もあり、注意が必要である。
【０００９】
本発明の目的は、上記の課題を解決するもので、メンテナンス性を損なうことなく、低コストで、廃棄時の分解作業が少なく、環境にやさしいコントロール装置を提供することにある。
【００１０】
【課題を解決するための手段】
このような目的を達成するために、本発明では、請求項１のコントロール装置においては、
バックボードを有するコントロール装置本体と、前記バックボードに着脱自在に取付けられるＩ／Ｏモジュールとを具備するコントロール装置において、前記コントロール装置本体には、前記バックボードの上部側に設けられ溝方向が水平方向で前記Ｉ／Ｏモジュールが挿入される方向に開口する溝状の鉛直方向規制溝と、前記鉛直方向規制溝に沿って水平に設けられ所定幅を有し前記Ｉ／Ｏモジュールに嵌め合わされる板状の鉛直直交方向規制突起部とを有し、Ｉ／Ｏモジュールには、前記Ｉ／Ｏモジュールのバックボード着脱面に設けられ前記鉛直方向規制溝に嵌め合わされて前記バックボードに対する鉛直方向取付け位置が規定される凸部と、この凸部の上側の面に設けられ前記突起部が嵌め合わされ前記突起部の嵌め合い状態が見えるように上部側が開放されている溝部と、この溝部の両側に設けられ前記突起部に対する水平方向取付け位置を規定するリブとを有することを特徴とする。
【００１１】
本発明の請求項２においては、請求項1記載のコントロール装置において、前記凸部として、前記Ｉ／Ｏモジュールのケースと一体構成の材料からなることを特徴とする。
【００１２】
本発明の請求項３においては、請求項1又は請求項２記載のコントロール装置において、前記一体構成の材料として、プラスチックが使用されたことを特徴とする。
【００１３】
本発明の請求項４においては、請求項1乃至請求項３の何れかに記載のコントロール装置において、前記鉛直方向規制溝は、前記バックボードの一端から他端まで設けられたことを特徴とする。
【００１４】
【発明の実施の形態】
以下図面を用いて本発明を詳しく説明する。
図１は本発明の一実施例の要部組立て斜視説明図、図２は図１の部品斜視説明図、図３は図１のＡ−Ａ断面図である。
【００１５】
図４は図１のＩ／Ｏモジュール２の側面図、図５は図１のＩ／Ｏモジュール２の背面図、図６は図１のＩ／Ｏモジュール２の平面図である。図７〜図１０は図１の組立て動作説明図で、図７は組立て前の側面図、図８は組立て前の平面図、図９は組立て後の側面図、図１０は組立て後の平面図である。
【００１６】
図において、図１１と同一記号の構成は同一機能を表す。
以下、図１１と相違部分のみ説明する。
【００１７】
図において、図１，図３に示す如く、鉛直方向規制溝１１は、バックボード１の上部側に設けられ溝方向が水平方向でＩ／Ｏモジュールが挿入される方向に開口し溝状をなす。
この場合は、図１に示す如く、鉛直方向規制溝１１は、バックボード１の一端から他端まで連続して設けられている。
なお、この場合は、バックボード１は金属よりなる。
【００１８】
鉛直直交方向規制突起部１２は、図１，図２，図３に示す如く、鉛直方向規制溝１１に沿って水平に設けられ、所定幅を有し、Ｉ／Ｏモジュールに嵌め合わされ板状をなす。
複数の突起部１２が断続的に鉛直直交方向に連続して配置されるように複数の突起部の根元部分が互いに接続されて一体に連続して形成されている。
【００１９】
また、図２に示す如く、板状の突起部１２は、バックボードの面に平行して設けられ前記Ｉ／Ｏモジュールが取付けられる取付け板１０１の下側縁に、突起部１２の根元部分が接続されて、取付け板１０１と一体構成され全体として断面Ｌ型形状をなしている。
【００２０】
凸部１３は、図４〜図６に示す如く、Ｉ／Ｏモジュール２のバックボード着脱面に設けられ、鉛直方向規制溝１１に嵌め合わされて、バックボード１に対する鉛直方向取付け位置が規定される。
【００２１】
この場合は、凸部１３として、Ｉ／Ｏモジュール２のケースと一体構成の材料からなる。また、一体構成の材料として、プラスチックが使用されている。
【００２２】
溝部１４は、図４〜図６に示す如く、この凸部１３の上側の面に設けられ、突起部１２が嵌め合わされて、突起部の嵌め合い状態が見えるように上部側が開放されている。
【００２３】
この場合は、溝部１４は、図４〜図７に示す如く、この凸部１３の一面に対向して設けられた一対のリブ１４１により、溝部１４が形成されている。従って、鉛直直交方向規制突起部１２は、一対のリブ１４１の間に挿入される。
即ち、リブ１４１は、溝部１４の両側に設けられ突起部１２に対する水平方向取付け位置を規定する。
【００２４】
以上の構成において、図７〜図１０に示す如く、バックボード１にＩ／Ｏモジュール２を取付ける場合。先ず、Ｉ／Ｏモジュール２の凸部１３が、バックボード１の鉛直方向規制溝１１に挿入される。
【００２５】
これにより、バックボード１とＩ／Ｏモジュール２の図の上下関係の位置が決まる。この時、コネクタ３，４は未だ嵌め合わない。次に、Ｉ／Ｏモジュール２の凸部１３から突き出たリブ１４１が、バックボード１の板状の鉛直直交方向規制突起部１２の両端に、その面を抱え込むように挿入される。
【００２６】
これによって、バックボード１と、Ｉ／Ｏモジュール２の図の左右の位置関係が決まる。この後、コネクタ３，４が嵌め合うが、上記の構造により、バックボード１とＩ／Ｏモジュール２の取付位置関係が精度よく決まっているために、コネクタ３，４の嵌め合いをスムーズに行うことができる。
【００２７】
この結果、
（１）Ｉ／Ｏモジュール２側の凸部１３が、バックボード１側の鉛直方向規制溝１１に嵌め合わされ、バックボード１側の鉛直直交方向規制突起部１２が、Ｉ／Ｏモジュール２側の溝部１４に嵌め合わされるので、丁度、噛み合う状態となり、着脱自在でありながら、こわれにくい位置決め構造を有するコントロール装置が得られる。
【００２８】
（２）凸部１３を、Ｉ／Ｏモジュール２のケースと一体構成にしたので、Ｉ／Ｏモジュール側の凸部は、モジュールのケースと一体で製作でき、組立コストの削減につながるものであり、安価なコントロール装置が得られる。
【００２９】
（３）凸部１３を、Ｉ／Ｏモジュール２のケースと一体構成にしたので、Ｉ／Ｏモジュール２側の凸部１３は、モジュールのケースと一体で製作でき、廃棄の際には、部品を分解・分別することなく処理できるので、リサイクル性等の向上にもつながり、環境にやさしいコントロール装置が得られる。
【００３０】
（４）凸部１３の材料として、プラスチックが使用されたので、プラスチックは、複雑な形状を１種類の材料から製作できるので、廃棄の際、そのまま溶解して再利用することができ、リサイクル性等の向上にもつながり、環境にやさしいコントロール装置が得られる。
【００３１】
（５）鉛直方向規制溝１１が、バックボード１の一端から他端まで設けられたので、鉛直方向規制溝１１は、鉛直直交方向は、フリーとなり、バックボード１側の鉛直直交方向規制突起部１２と、Ｉ／Ｏモジュール２側の溝部１４との組立てが容易なコントロール装置が得られる。
【００３２】
なお、前述の実施例においては、Ｉ／Ｏモジュール２側は樹脂成形、バックボード１は金属部品よりなると説明したが、これに限る事は無い。
【００３３】
たとえば、Ｉ／Ｏモジュール２には、金属材料の使用も可能である。ダイカスト、プレス成形などの加工手段を使うことにより、Ｉ／Ｏモジュール２のケースと一体で凸部１３やリブ１４１を構成することができる。
【００３４】
また、バックボード１も、金属部品のみならず樹脂等、さまざまな材料を使うことができ、樹脂成形、切削などにより容易に製作することができる。
【００３５】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【００３６】
【発明の効果】
以上説明したように、本発明の請求項１によれば、次のような効果がある。
Ｉ／Ｏモジュール側の凸部が、バックボード側の鉛直方向規制溝に嵌め合わされ、バックボード側の鉛直直交方向規制突起部が、Ｉ／Ｏモジュール側の溝部に嵌め合わされるので、丁度、噛み合う状態となり、着脱自在でありながら、こわれにくい位置決め構造を有するコントロール装置が得られる。
【００３７】
本発明の請求項２によれば、次のような効果がある。
（１）Ｉ／Ｏモジュール側の凸部は、モジュールのケースと一体で製作でき、組立コストの削減につながるものであり、安価なコントロール装置が得られる。
【００３８】
（２）Ｉ／Ｏモジュール側の凸部は、モジュールのケースと一体で製作でき、廃棄の際には、部品を分解・分別することなく処理できるので、リサイクル性等の向上にもつながり、環境にやさしいコントロール装置が得られる。
【００３９】
本発明の請求項３によれば、次のような効果がある。
プラスチックは、複雑な形状を１種類の材料から製作できるので、廃棄の際、そのまま溶解して再利用することができ、リサイクル性等の向上にもつながり、環境にやさしいコントロール装置が得られる。
【００４０】
本発明の請求項４によれば、次のような効果がある。
鉛直方向規制溝は、鉛直直交方向は、フリーとなるので、バックボード側の鉛直直交方向規制突起部と、Ｉ／Ｏモジュール側の溝部との組立てが容易なコントロール装置が得られる。
【００４１】
従って、本発明によれば、メンテナンス性を損なうことなく、低コストで、廃棄時の分解作業が少なく、環境にやさしいコントロール装置を実現することが出来る。
【図面の簡単な説明】
【図１】  本発明の一実施例の要部組み立て斜視説明図である。
【図２】  図１の部品斜視説明図である。
【図３】  図１のＡ−Ａ断面図である。
【図４】  図１のＩ／Ｏモジュール２の側面図である。
【図５】  図１のＩ／Ｏモジュール２の背面図である。
【図６】  図１のＩ／Ｏモジュール２の平面図である。
【図７】  図１の組立て動作説明図で、組立て前の側面図
である。
【図８】  図１の組立て動作説明図で、組立て前の平面図
である。
【図９】  図１の組立て動作説明図で、組立て後の側面図
である。
【図１０】  図１の組立て動作説明図で、組立て後の平面
図である。
【図１１】  従来より一般に使用されている従来例の要部構成説明図である。
【符号の説明】
１      バックボード
１０１  取付け板
２      Ｉ／Ｏモジュール
３      コネクタ
４      コネクタ
５      位置決めピン
６      穴
１１    鉛直方向規制溝
１２    鉛直直交方向規制突起部
１３    凸部
１４    溝部
１４１  リブ
【図１】
0003808255.tif 000002
【図２】
0003808255.tif 000003
【図３】
0003808255.tif 000004
【図４】
0003808255.tif 000005
【図５】
0003808255.tif 000006
【図６】
0003808255.tif 000007
【図７】
0003808255.tif 000008
【図８】
0003808255.tif 000009
【図９】
0003808255.tif 000010
【図１０】
0003808255.tif 000011
【図１１】
0003808255.tif 000012